(57)【要約】      （修正有）【課題】  施工後に支持金具等を残存させることがないコンクリート部材の据え付けのための施工方法及び同方法に使用する支持金具を提供する。【解決手段】  コンクリート部材を施工現場にて据え付けるまでの工事を実施するための施工方法について、施工現場の目的箇所に支持金具を２１を用いてコンクリート部材１１を配置し、支持金具２１に螺合したボルト２７を操作してコンクリート部材１１を持ち上げる間にライナー１７を配置し、その後ボルト２７をねじ戻す操作によって支持金具２１を取り外すとともにコンクリート部材１１をライナー１７に乗せ換え、また支持金具２１を除去する【選択図】          図２
2006138189.tif 000002
【特許請求の範囲】
【請求項１】
コンクリート部材を施工現場にて据え付けるまでの工事を実施するための施工方法であって、
施工現場の目的箇所に支持金具を介してコンクリート部材を配置し、支持金具に螺合したボルトを操作してコンクリート部材を持ち上げる間にライナーを配置し、その後ボルトをねじ戻す操作によって支持金具を取り外すとともにコンクリート部材をライナーに乗せ換え、また支持金具を除去することを特徴とするコンクリート部材の据え付けのための施工方法。
【請求項２】
支持金具は、ボルトをねじ戻す操作によって回転し、それによってライナーに乗せ換えられているコンクリート部材の間隙から脱して外部へ取り出し得るようにした請求項１記載のコンクリート部材の据え付けのための施工方法。
【請求項３】
下部に筒状の第２の支持金具を具備しており、第２の支持金具の上部に設けられている雌ねじ部にボルトの先端部を螺合させ、コンクリート部材を目的箇所にて持ち上げる力を第２の支持金具によって受け止めるようにした請求項１記載のコンクリート部材の据え付けのための施工方法。
【請求項４】
コンクリート部材を施工現場にて据え付けるまでの工事を実施するための施工方法に使用する支持金具であって、
横方向に扁平なブロック状の本体を有し、本体は中間部に縦方向の突出部を有するとともに、突出部は内部を貫通する雌ねじ部を有しており、突出部の左右の肩部の面と本体の下面とは共に平面であるとともに相互に平行に形成されており、肩部の面をコンクリート部材の端部に配置して支持し、雌ねじ部にボルトを螺合することによってコンクリート部材を所定レベルに支持するように構成されているコンクリート部材の据え付けのための施工方法に使用する支持金具。
【請求項５】
コンクリート部材を施工現場にて据え付けるまでの工事を実施するための施工方法に使用する支持金具であって、
筒状の本体を有し、本体は中間位に外方へ膨らんだ環状の膨大部を有しており、かつ適所にボルトを螺合する雌ねじ部を有し、コンクリート製品を上端部に載置し、その荷重を支持したときに膨大部が外力により弾性変形可能に設けられているコンクリート部材の据え付けのための施工方法に使用する支持金具。
【発明の詳細な説明】
【技術分野】
【０００１】
本発明は、コンクリート部材を施工現場にて据え付けるまでの工事を実施するための施工方法及び同方法に使用する支持金具に関するものである。
【背景技術】
【０００２】
コンクリート製品その他のコンクリート部材を床上よりレベル調整する場合、そのコンクリート部材の成形時にインサートナットを組み込み、それを螺合相手とするボルトを操作することにより行っている。この例として特開平８−２７７５３６号、同７−１８９３３５号、同７−７１０１０号などがあるが、これらに限らずインサートナットを使用する工法ではレベル調整後もインサートナットが残存する。このため経済的でないという問題があり、またインサートナットのない箇所ではレベル調整をできないという問題がある。また上記の工法においてインサートナットに通してレベル調整を行うボルトでは、先端の支持点にてコンクリート部材の荷重を支えるため摩擦が極めて小さく、床又は受け支え面が傾斜している場合一旦動き出すと加速度がつきやすく、危険である。
【０００３】
また、コンクリート部材の据え付けに到るまでには、レベル調整だけではなく、引張
や、連結等の諸工程を経るが、上記のインサートナットはレベル調整には都合が良いもののそれ以外の用途には余り適していないか、或いは全く適用することができない。何故ならレベル調整のために設けられている上下方向のインサートナットは、上下に配置するコンクリート部材であれば部材同士の引張や連結にも適用することができるが、前後或いは左右に連結すべきコンクリート部材に対しては使いようがないからである。
【０００４】
【特許文献１】特開平７−７１０１０号
【特許文献２】特開平７−１８９３３５号
【特許文献３】特開平８−１３８１４号
【特許文献４】特開平８−２７７５３６号
【特許文献５】特開平２００１−９８６３５号
【特許文献６】特開平２００２−１８８１６１号
【発明の開示】
【発明が解決しようとする課題】
【０００５】
本発明は前記のような事情に着目してなされたもので、その課題は、施工後に支持金具等を残存させることがないコンクリート部材の据え付けのための施工方法を提供することである。また本発明の他の課題は、傾斜面における工事においても安全に施工できるコンクリート部材の据え付けのための施工方法を提供することである。さらに本発明の他の課題は、上記のコンクリート部材の据え付けのための施工方法の実施に不可欠の支持金具を提供することである。
【課題を解決するための手段】
【０００６】
前記の課題を解決するため本発明は、コンクリート部材を施工現場にて据え付けるまでの工事を実施するための施工方法について、施工現場の目的箇所に支持金具を介してコンクリート部材を配置し、支持金具に螺合したボルトを操作してコンクリート部材を持ち上げる間にライナーを配置し、その後ボルトをねじ戻す操作によって支持金具を取り外すとともにコンクリート部材をライナーに乗せ換え、また支持金具を除去するという手段を講じたものである。
【０００７】
本発明の対象とする施工方法とは、コンクリート部材を施工現場にて据え付けるまでに行われる、例えばコンクリート部材を目的箇所へ運搬する際の引張工事、目的箇所に運搬されたコンクリート部材を一定の高さにあわせるレベル調整工事、或いはレベル調整済みのコンクリート部材を結合する連結工事等を実施するための工法である。これらの工事を実施するために本発明では特別の支持金具を使用することとし、工事完了後支持金具を除去して、残存させないことが可能であることを特徴とする。
【０００８】
レベル調整を含む据え付け工事では、コンクリート部材を支持金具を介して受け支えることにより施工現場の目的箇所に配置し、支持金具にボルトを螺合してこれを操作し、受け支えているコンクリート部材を持ち上げる間にライナーを配置し、その後ボルトをねじ戻してコンクリート部材をライナーに預けるとともに支持金具を取り外すことにより、コンクリート部材をライナーへ乗せ換えるようにする。乗せ換えによりコンクリート部材は目的箇所に配置されるのに対して、支持金具はコンクリート部材を受け支えていた状態から解放され、目的箇所から除去することができる。
【０００９】
支持金具の除去のために、支持金具は、ボルトをねじ戻す操作によって回転し、それによってライナーに乗せ換えられているコンクリート部材の間隙から脱して外部へ取り出し得るようにした構成とすることができる。この場合、支持金具の平面形を例えば横長とすると同時にコンクリート部材の間隙を縦長とし、ボルトをねじ戻す操作によって支持金具を横長の状態から縦長の状態へ回転させ、同じく縦長のコンクリート部材の間隙から外部へ支持金具を取り出し得るようにする。縦長のコンクリート部材の間隙は支持金具よりも大型であること、或いは逆にコンクリート部材の間隙よりも支持金具の小さいことが条件である。
【００１０】
これまでの説明では、ボルトについて何も条件が付け加えられていないので、ボルトは従来と同じボルトでも良いことになる。しかしながら従来と同じボルトを使用した場合、コンクリート部材の荷重を先端の支持点にて支えるため摩擦が極めて小さくなるという弊害を生じることになる。そこで本発明では、下部に筒状の第２の支持金具を具備し、第２の支持金具に設けられている雌ねじ部にボルトの先端部を螺合させ、コンクリート部材を目的箇所にて持ち上げる力を第２の支持金具によって受け止めるようにするという手段を講じている。第２の支持金具は、コンクリート部材の荷重を受け支えるという意味において先の支持金具と同様の役割を負っているものである。
【００１１】
第２の支持金具に対して先の支持金具、これを便宜上第１の支持金具と呼ぶことにすると、このものは、横方向に扁平なブロック状の本体を有し、本体は中間部に縦方向の突出部を有するとともに、突出部は内部を貫通する雌ねじ部を有しており、突出部の左右の肩部の面と本体の下面とは共に平面であるとともに相互に平行に形成されており、肩部の面をコンクリート部材の端部に配置して支持し、雌ねじ部にボルトを螺合することによってコンクリート部材を所定レベルに支持するように構成されているものとする。
【００１２】
従って第１の支持金具には、雌ネジ部を中間の突出部に設けること、その両側左右の肩部の面及び本体の下面が相互に平面でありかつ平行に形成されていることが必要である。雌ネジ部はボルトを通すために、また左右型部の面と本体の下面との平行性は、コンクリート部材を乗せるだけで何の下準備も必要なく或いは最少限度の加工手間及び費用でレベル調整を実施することを可能にする。中間の突出部は位置がずれないように位置決めをする機能があり、また本体に加えられた外力に対抗し得るように強度を高める構造上の役割も果たす。
【００１３】
また、第２の支持金具については、筒状の本体を有し、本体は中間位に外方へ膨らんだ環状の膨大部を有しており、かつ上端部にボルトを螺合する雌ねじ部を有し、コンクリート製品を上端部に載置し、その荷重を支持したときに膨大部が外力により弾性変形可能に設けられている必要がある。このような弾性変形可能な膨大部を有する筒状の部材は、例えばバルジ成形法と呼ばれる方法によって作成することができる。第２の支持金具の場合下部が筒状であり、摩擦抵抗が適当であるため滑って事故につながる危険はなく、しかも容易に移動させることはできるので移動工事に好適である。
【発明の効果】
【００１４】
本発明は上記のように構成されかつ作用するものであるから、目的箇所にコンクリート部材を配置するために、支持していた支持金具からコンクリート部材をライナーに乗せ換え、支持金具は除去するため、レベル調整において打設したコンクリート中に支持金具を残存させずに済み、繰り返し使用可能であるとともに経済的であり、支持金具は単純な形態を有するので使用しやすく、正確なレベル調整が可能であり、また第２の支持金具は下部が筒状であるので、ボルト先端による点支持のようには滑らず、適当な摩擦抵抗を有するので傾斜面にコンクリート部材の荷重がかかるような工事においても安全な施工を進めることができ、また第１の支持金具と組み合せても、第２の支持金具単独でも使用可能であるので、コンクリート部材を目的箇所に据え付けるまでの様々な工事に使用することができる。
【発明を実施するための最良の形態】
【００１５】
物的要素１
以下図示の実施形態を参照して本発明を詳細に説明する。図１、図２は、コンクリート部材を施工現場の目的箇所に運び、間隙を設けて並べ、隣接コンクリート部材１１、１１の端部に、本発明に係る支持金具２１を配置した状態を示しており、この支持金具２１は第１の支持金具２１である。コンクリート部材１１の端部には第１の支持金具２１の端部２２、２２を受け入れる凹部１２、１２が設けてあり、その天井に相当する天面１３、
１３に第１の支持金具２１の肩部の面２３が面接触して支持する構成である。一方、コンクリート部材１１の側には、第１の支持金具２１の端部２２の係合を容易かつ確実にするための付加構造を凹部１２に設けている。凹部１２は図３、図４に詳細に示してあるように、支持金具２１の端部２２を受け入れる幅と奥行を有し、かつボルト２７の螺合操作により支持金具２１が回転したときに端部２２が出入りできるように、設けられ、かつその回転を衝壁１４で止めて支持金具２１を定位置に配置し得るように設けられている。なお、第1の支持金具２１とボルト２７などはレベル調整のための装置を構成している。
【００１６】
第１の支持金具２１は、図７に例示されており、鋼材より成る横方向に偏平な細長いブロック状の本体を有し、その中央部に縦方向の突出部２４を有している。突出部２４の左右に位置する上記の肩部の面２３、２３は同じ高さであり、かつ本体の下面２５と共に平面で構成されており、これらの肩部の面２３、２３と本体の下面２５とは相互に平行に形成されている。また突出部２４には縦に貫通する雌ねじ部２６を有するボルト孔が形成されており、故に雌ねじ部２６の軸心の方向と本体の下面２５或いは肩部の面２３とは直交関係にある。さらにまた支持金具２１には、隣接配置されたコンクリート部材１１、１１の凹部１２、１２にて係止してレベル調整のために持ち上げるために必要な強度を求められている。これについて支持金具２１は横方向に偏平なブロック状の本体に突出部２４を有しているため、単なる偏平なブロックよりも構造強度の向上が得られ、より小型で大きな曲げ荷重に耐えられるものである。
【００１７】
施工方法１
図１に示した状態では、隣接配置したコンクリート部材１１、１１の間隙１５に本発明に係る第１の支持金具２１を配置し、ボルト２７を雌ねじ部２６に螺合し、予め施工箇所に配置してある受け板１６にボルト２７の先端を当てており、第１の支持金具２１は端部２２、２２の方向が紙面に垂直になっている。この状態において、ボルト２７を螺合操作すると、ねじの螺合部の抵抗によって第１の支持金具２１が右回転し（図３、図４では下面から見ているため左回転となる。）、本体の両端部２２、２２は凹部１２、１２に入り込んで衝壁１４、１４に当たり、図４の状態となる。そこでさらにボルト２７を螺合操作すると、第１の支持金具２１は衝壁１４にて回転を停止されているため徐々に上方へ移動し、肩部の面２３、２３が凹部１２、１２の天面１３、１３に接した状態となるので、コンクリート部材１１、１１を持ち上げることとなる。
【００１８】
コンクリート部材１１、１１がレベル調整装置によって所定の高さまで持ち上げられた段階で、ライナー１７、１７をコンクリート部材１１、１１の下に挿入し、所定の高さに支える（図２参照）。同じ操作を全てのコンクリート部材１１…について行い、それによって全てのコンクリート部材１１…の高さを一定に揃える所謂レベル調整がなされる。ライナー１７、１７によるコンクリート部材１１、１１の支持により、コンクリート部材
１１、１１はライナー１７、１７に乗せ換えられた状態となっているので、ボルト２７をねじ戻す操作ののちにレベル調整装置を取り外す。取り外し作業のために、ボルト２７をねじ戻すと第１の支持金具２１は逆方向に回転して端部２２が凹部１２から脱出し、コンクリート部材１１の端面が衝壁となって金具端部２２の方向がコンクリート部材１１、
１１の間隙１５の方向に平行となるまで、ねじ戻しにより下降しながら回転する。故に第１の支持金具２１は隣接するコンクリート部材１１、１１の間隙１５から脱し得る状態となり、ボルト２７を持って引き出すことにより目的箇所から取り外すことができる。第１の支持金具２１の除去後、コンクリート部材１１、１１の間隙１５からコンクリートを打ち込み、コンクリート部材下の空所を埋めて、レベル調整工事を終える。
【００１９】
施工方法２
上記施工方法１は、隣接配置されたコンクリート部材１１、１１の双方に係止して持ち上げる工法に関するものであるが、１個のコンクリート部材１１に対しても本発明の方法を適用することができる。図５、図６はその施工方法の例示であり、コンクリート部材１１には、偏平かつ細長く形成されている第１の支持金具２１を通過させることができる平面形を持った細長い窓口１９が開いている。窓口１９は施工方法１における隣接コンクリート部材１１、１１の間隙１５に相当する作業用空所である。
【００２０】
従って第１の支持金具２１をセットするときには図５Ａに示したように第１の支持金具２１の長さ方向を細長い窓口１９の長さ方向に一致させてコンクリート部材１１の下まで通過させ、その後でボルト操作により第１の支持金具２１を回転させるとともに上昇さ
せ、肩部の面２３でコンクリート部材１１の荷重を支えるものである。施工方法２においてはコンクリート部材内に、窓口１９を開けているため、その開口幅の一定であることを利用して、口壁１８に当たると止まる回転止め２８を突出部２４に新設し、施工方法１で必要とした凹部１２を省略している。口壁１８をストッパーとした状態でボルト２７を螺合操作することによりコンクリート部材が持ち上げられ、所定の高さにてライナー１７をコンクリート部材１１の下に挿入しそれを支えることにより、コンクリート部材１１の乗せ換えを行うこと、その後で第１の支持金具２１の位置をボルト２７のねじ戻しにより元に戻し、ボルト２７とともに引き上げてレベル調整を終えることは施工方法１の場合と同じである。また同様の構成は符号を援用し詳細な説明を省略する。
【００２１】
物的要素２
第１の支持金具２１とともに使用され、また単独でも使用される物的要素が第２の支持金具３１である。第２の支持金具３１は図８に詳細に示してあり、強靭な鋼を材料としてバルジ工法により形成した筒状の本体を有し、本体は中間位に外方へ膨らんだ環状の膨大部３２を有しており、上端部にボルト２７を螺合可能な雌ねじ部３６としてナット３４を溶接した形態を有している。本体の下端３３は施工現場の目的箇所に敷設された移動用鋼板や鉄骨などに接するシューとなる。
【００２２】
施工方法３
第１の支持金具２１と第２の支持金具３１を併用することによって、レベル調整の際にコンクリート部材１１の位置を動かす移動工事を積極的に行うことができるようになる。この施工方法３は図９に例示されており、施工現場には接地面３５として予め移動用の平鋼、チャネル、或いは鉄骨が存在しており、その上にコンクリート部材１１を設置する場合に適している。
【００２３】
この工法を実施する場合、図に示したように、第１の支持金具２１にボルト２７を通したのち、さらにそのボルト２７の先端に第２の支持金具３１を螺合させておき、隣接コンクリート部材１１、１１の間隙１５（或いは単独のコンクリート部材１１の窓口１９）から、コンクリート部材１１の下へ第１、第２の支持金具２１、３１を通し、両端部２２、２２を隣接コンクリート部材１１、１１の凹部１２、１２にセットして、ボルト操作により持ち上げるようにする。その際、コンクリート部材１１の位置を移動修正する必要があるならば、ボルト操作により第２の支持金具３１の下端３３でコンクリート部材１１の荷重を支えた状態のまま、接地面３５をレールとして、コンクリート部材１１を目的とする方向へ移動させることとする。この移動工法は、コンクリート部材１１に対するレベル調整の前であっても後であっても実施することができる。
【００２４】
物的要素３
コンクリート部材の移動は第１の支持金具２１を併用することなく、図３に示すように第２の支持金具３１だけを用いて行うことが可能である。
【００２５】
その用途に適した第２の支持金具の１例を図１０以下を参照して説明する。図１０は、図８に示しまた物的要素２の項にて説明した筒状の本体を利用しつつ、その上端面にナットではなく、コンクリート部材１１の受け支えに適したプレート４１を溶接した第２の支持金具３１′を示しており、下端３３を接地面３５に接して施工方法３で述べたようにスムーズに滑らせることができる。第２の支持金具３１…を用いた移動は下端３３がリング状のためボルト先端の点支点に比較して面積荷重が小さく、接地面３５をへこませることがない。
【００２６】
図１１の例は物的要素２の支持金具３１のナット３４にプレート付きレベルボルト４３を螺合させたもので、プレート４２が第１の支持金具２１の本体を代用しているものと言える。図１０、図１１に例示されている支持金具３１′、３１″は図１３に例示したように、コンクリート部材１１の下面に当たってその荷重を支えるとともに、支持金具３１′、３１″の下端３３で接地面３５に配置することにより、移動させる作業に適している。なお図１２は、図８に示した物的要素２の支持金具３１の用途の例示であり、この場合、コンクリート部材１１′は下面にインサートナット４４を有しており、両方のナット３４、４４にボルト４７を螺合することによりコンクリート部材４１′に直接第２の支持金具３１により支えられ、移動工事に適用している例である。
【００２７】
その他の実施可能な形態
図１４は、第１の支持金具２１を２個使用し、夫々の両肩を貫通している孔に連結部材５２を取り付けることにより、第１の支持金具２１の下面２５を向かい合わせにして一体に結合した連結具５１を構成しており、２個のコンクリート部材１１、１１の連結用途に使用することができる。この場合、２個の支持金具２１、２１の雌ねじ孔に図外の連結手段を通して緊結することによりコンクリート部材同士を引き寄せることができる。
【００２８】
図１５は、本発明における第１の支持金具２１をコンクリート部材内へのインサート部品として取り扱うことも可能であることの例を示している。インサート工法は、背景技術において否定的要素を有するものであるということを説明したが、支持金具２１の用途として見た場合、インサート部品として取り扱えるという意義はある、という趣旨に留ま
る。
【産業上の利用可能性】
【００２９】
コンクリート部材と同様に大型、大重量の鉄骨部材その他の建築、構築要素の据え付け施工に適用することができる。
【図面の簡単な説明】
【００３０】
【図１】本発明に係るコンクリート部材の据え付けのための施工方法の実施例であってはじめの工程を示す断面説明図。
【図２】図１の状態からレベル調整を終えた直後の断面説明図。
【図３】図１に対応する第１の支持金具とコンクリート部材との関係を示す非係合状態の説明図。
【図４】第１の支持金具とコンクリート部材との係合状態を示す説明図。
【図５】Ａは１個のコンクリート部材に関する図３と同様に係合状態を示す平面図、ＢはＡに対応する断面説明図。
【図６】Ａは図４と同様に係合状態を示す平面図、ＢはＡに対応する断面説明図。
【図７】本発明の実施に直接使用する支持金具を示すもので、Ａは平面図、Ｂは正面図。
【図８】本発明の実施に直接使用する第２の支持金具を示す正面図。
【図９】本発明の施工工法を示す断面説明図。
【図１０】第２支持金具の変形例を示す正面図。
【図１１】同じく第２支持金具の変形例を示す正面図。
【図１２】第２支持金具の用例を示す正面図。
【図１３】第２支持金具の変形例の用例を示す正面図。
【図１４】第１支持金具の用例を示す正面図。
【図１５】第１支持金具の用例を示す正面図。
【符号の説明】
【００３１】
１１、１１′  コンクリート部材
１２  凹部
１５  間隙
１７  ライナー
１９  窓口
２１  第１の支持金具
２２  端部
２３  肩部の面
２４  突出部
２５  下面
２６、３６  雌ねじ部
２７、４３、４７  ボルト
３４  ナット
３１  第２の支持金具
３２  膨大部
３３  下端
３５  接地面
【図１】
2006138189.tif 000003
【図２】
2006138189.tif 000004
【図３】
2006138189.tif 000005
【図４】
2006138189.tif 000006
【図５】
2006138189.tif 000007
【図６】
2006138189.tif 000008
【図７】
2006138189.tif 000009
【図８】
2006138189.tif 000010
【図９】
2006138189.tif 000011
【図１０】
2006138189.tif 000012
【図１１】
2006138189.tif 000013
【図１２】
2006138189.tif 000014
【図１３】
2006138189.tif 000015
【図１４】
2006138189.tif 000016
【図１５】
2006138189.tif 000017